(57)【要約】【課題】簡単に電力消費を抑えることができる携帯情報通信端末を提供する。【課題手段】発信規制データには、発信規制をかけるべき場所のデータが登録されている。スケジュールデータが入力されると、そのスケジュールデータに登録されている場所が、発信規制を行なうべき場所か否か発信規制データに基づき判定される。発信規制を行なうべき場所の場合は、そのスケジュールが登録された日時に発信規制をかけるべく発信規制日時データが作成される。現在時刻を計測し、発信規制日時データに登録された発信規制を行なう日時になると、送受信回路への電力供給がＯＦＦになる。【選択図】      図４
2005064827.tif 000002
【特許請求の範囲】
【請求項１】
基地局と無線で接続されて他の端末と無線で交信する無線通信機能を備えた携帯情報通信端末において、
現在日時を計測する計時手段と、
指定された日時のスケジュール内容がスケジュールデータとして記憶されるスケジュールデータ記憶手段と、
発信規制をかけるべきスケジュール内容が記録された発信規制データ記憶手段と、
前記スケジュールデータ記憶手段に記憶されたスケジュールデータと前記発信規制データ記憶手段に記憶されたスケジュール内容とに基づいて発信規制をかける日時を設定する発信規制日時設定手段と、
前記発信規制日時設定手段で設定された発信規制をかける日時のデータを記憶する発信規制日時記憶手段と、
前記計時手段により計測される現在日時に基づいて前記発信規制日時記憶手段に記憶された発信規制をかける日時に前記無線通信機能への電力供給を停止させる電源制御手段と、
を備えたことを特徴とする携帯情報通信端末。
【請求項２】
前記スケジュール内容には場所のデータが含まれ、前記発信規制日時設定手段は、前記スケジュールデータ記憶手段に記憶された場所のデータと前記発信規制データ記憶手段に記憶された場所のデータとに基づいて発信規制をかける日時を設定することを特徴とする請求項１に記載の携帯情報通信端末。
【請求項３】
前記スケジュールデータ記憶手段には、外部機器で作成したスケジュールデータが記憶されることを特徴とする請求項１又は２に記載の携帯情報通信端末。
【発明の詳細な説明】
【技術分野】
【０００１】
本発明は携帯情報通信端末に係り、特に通信機能の以外にカメラ機能、ゲーム機能、目覚し時計機能等の機能を備えた携帯情報通信端末に関する。
【背景技術】
【０００２】
近年、携帯電話機は、単なる電話としての機能以外にカメラ、ゲーム、目覚し時計といった機能が搭載され、今後ますます多機能化することが考えられる。このことから、消費電力の削減は、重要な課題となっている。
【０００３】
そこで、特許文献１（特開２０００−２７８２０５号公報）では、基地局からの無線信号を受信して、通信可能な圏内状態か通信不可能な圏外状態かを検出し、圏外状態の場合は、表示部への電力供給を停止することにより、消費電力の低減を図っている。
【０００４】
また、特許文献２（特開２００２−８４５７１号公報）では、携帯電話機を所持しているユーザが電波発信を制限している電波管理区域に入ると、管理者基地局がこれを検知し、携帯電話機の電源供給を停止し、通信機能のみを不能して、消費電力の低減を図っている。また、ユーザがボタン操作により選択的に通信機能を不能にできるようにすることにより、消費電力の低減を図っている。
【特許文献１】特開２０００−２７８２０５号公報
【特許文献２】特開２００２−８４５７１号公報
【発明の開示】
【発明が解決しようとする課題】
【０００５】
しかしながら、特許文献１の方法では、圏内状態か圏外状態かを検出するために、常に通信機能に電力を供給していなければならず、そのための電力消費が激しいという欠点がある。
【０００６】
また、特許文献２の方法では、通信を制限するのが管理者基地局であるため、システムが大掛かりになるとともに、運用に莫大なコストがかかるという欠点がある。また、ユーザがボタン操作により通信機能を選択的に不能にする方法では、ユーザが、その設定行為を忘れてしまうという問題がある。
【０００７】
本発明は、このような事情に鑑みてなされたもので、簡単に電力消費を抑えることができる携帯情報通信端末を提供することを目的とする。
【課題を解決するための手段】
【０００８】
請求項１に係る発明は、前記目的を達成するために、基地局と無線で接続されて他の端末と無線で交信する無線通信機能を備えた携帯情報通信端末において、現在日時を計測する計時手段と、指定された日時のスケジュール内容がスケジュールデータとして記憶されるスケジュールデータ記憶手段と、発信規制をかけるべきスケジュール内容が記録された発信規制データ記憶手段と、前記スケジュールデータ記憶手段に記憶されたスケジュールデータと前記発信規制データ記憶手段に記憶されたスケジュール内容とに基づいて発信規制をかける日時を設定する発信規制日時設定手段と、前記発信規制日時設定手段で設定された発信規制をかける日時のデータを記憶する発信規制日時記憶手段と、前記計時手段により計測される現在日時に基づいて前記発信規制日時記憶手段に記憶された発信規制をかける日時に前記無線通信機能への電力供給を停止させる電源制御手段と、を備えたことを特徴とする携帯情報通信端末を提供する。
【０００９】
本発明によれば、スケジュール情報記憶手段に記憶されたスケジュール内容と発信規制データ記憶手段に記憶されたスケジュール内容とに基づいて発信規制をかける日時が発信規制日時設定手段によって設定され、発信規制日時記憶手段に記憶される。電源制御手段は、計時手段で計測される現在日時に基づいて、この発信規制日時記憶手段に記憶された発信規制をかける日時に無線通信機能への電力供給を停止させる。すなわち、本発明によれば、登録したスケジュール内容に発信規制を受けるものがあると、そのスケジュール内容が登録された日時に自動的に無線通信機能への電力供給が停止される。これにより、簡単に電力消費を抑えることができる。
【００１０】
また、請求項２に係る発明は、前記目的を達成するために、前記スケジュール内容には場所のデータが含まれ、前記発信規制日時設定手段は、前記スケジュールデータ記憶手段に記憶された場所のデータと前記発信規制データ記憶手段に記憶された場所のデータとに基づいて発信規制をかける日時を設定することを特徴とする請求項１に記載の携帯情報通信端末を提供する。
【００１１】
本発明によれば、スケジュール内容に含まれる場所データに基づいて無線通信機能への電力供給が停止される。これにより、たとえば圏外地域の場所データをあらかじめ発信規制データ記憶手段に記憶させておけば、その地域をスケジュール内容に含めた場合に自動的に無線通信機能への電力供給を停止させることができる。
【００１２】
また、請求項３に係る発明は、前記目的を達成するために、前記スケジュールデータ記憶手段には、外部機器で作成したスケジュールデータが記憶されることを特徴とする請求項１又は２に記載の携帯情報通信端末を提供する。
【００１３】
本発明によれば、たとえばＰＣ（Personal Computer ）やＰＤＡ（Personal Digital Assistant）で作成したスケジュール情報を携帯情報通信端末に取り込み、そのスケジュールデータに基づいて無線通信機能への電力供給が制御される。
【発明の効果】
【００１４】
本発明によれば、スケジュールデータに基づいて無線通信機能への電力供給を制御することにより、システムを大掛かりなものとすることなく、簡単に携帯情報通信端末の消費電力を抑えることができる。
【発明を実施するための最良の形態】
【００１５】
以下、添付図面に従って本発明に係る携帯情報通信端末の好ましい実施の形態について詳説する。
【００１６】
図１は本発明が適用された携帯電話機の外観図であり、（ａ）が内側面、（ｂ）が外側面を示している。同図に示すように、この携帯電話機１０は、カメラ機能を備えており、表示側筐体１２と操作側筐体１４とがヒンジ１６で連結されて折り畳み可能に形成されている。
【００１７】
表示側筐体１２には、内側にカラー液晶ディスプレイ１８と受話口２０とが設けられており、外側にアンテナ２２と撮影レンズ２８とが設けられている。
【００１８】
一方、操作側筐体１４には、内側に操作部２４と送話口２６とが設けられており、外側に撮影レンズ２８とバッテリパック３０とが設けられている。操作部２４は、ダイヤルボタン、通話ボタン、切／電源ボタン、十字ボタン等の各種操作ボタン類で構成されており、各ボタンは使用するモードに応じて種々の機能が割り当てられる。撮影レンズ２８は、短焦点レンズで構成されており、この撮影レンズ２８を用いて写真撮影が行なわれる。
【００１９】
また、この操作側筐体１４には、側面にカードスロット３４が設けられており、下面に図示しない外部接続端子が設けられている。カードスロット３４には、メモリカード３６が着脱自在に装着され、このメモリカードに撮影した画像データ等が格納できるようになっている。外部接続端子には、通信ケーブルが接続され、この通信ケーブルをＰＣやＰＤＡに接続することにより、双方向でデータの送受信ができるようになっている。
【００２０】
携帯電話機１０をカメラとして使用する場合は、液晶ディスプレイ１８を電子ビューファインダとして利用し、この液晶ディスプレイ１８に映し出される画像を見ながら撮影を行なう。
【００２１】
図２は携帯電話機１０の内部構成を示すブロック図である。携帯電話機１０は、中央処理装置（ＣＰＵ）５０、ＲＯＭ５１、ＲＡＭ５２、ＥＥＰＲＯＭ５３、音声処理部５６、送受信回路５８等の通常の電話機能を提供するための構成要素に加えて、ＣＣＤ６２、アナログ処理部６４、Ａ／Ｄ変換器６６、画像入力コントローラ６８、画像処理部７０、圧縮伸張部７２、表示回路７６等のカメラ機能を提供するための構成要素を備えている。
【００２２】
ＣＰＵ５０は、所定のプログラムに従って携帯電話機全体の動作を統括制御する制御部として機能する。すなわち、ＣＰＵ５０は、操作部２４から入力される操作信号に基づいて携帯電話機内の各回路を制御し、通信制御、撮影制御、画像処理制御、液晶ディスプレイ１８の表示制御などを行う。ＲＯＭ５１には、ＣＰＵ５０が実行するプログラムや制御に必要な各種データなどが格納されており、ＥＥＰＲＯＭ５３には、携帯電話機１０の電話番号やユーザの個人情報、スケジュール情報等のデータが記憶されている。また、ＲＡＭ５２は、ＣＰＵ５０の作業用領域として利用され、撮影時には画像データの一時記憶領域としても利用される。
【００２３】
音声処理部５６は、ＣＰＵ５０と連携して音声信号を処理又は変換する手段であり、送受信回路５８から受入したデータの復号化処理、送受信回路５８を通じて送信するデータの符号化処理、スピーカ２０Ａへの出力信号生成処理、マイク２６Ａからの入力音声信号の符号化処理などを行う。
【００２４】
通話モード（電話機能を使用するモード）において、通信相手との接続が確立されると、送話口２６のマイク２６Ａから入力された音声が、電気信号に変換されて音声処理部５６に送られる。音声処理部５６は入力された音声信号をデジタル信号に変換（Ａ／Ｄ変換）し、所要の信号処理を施して所定形式の音声データに変換する。音声処理部５６で処理された音声データは、バス８０を介して送受信回路５８に送られ、送受信回路５８で所定の送信用信号形式に変換されたのちアンテナ２２から基地局に送信される。
【００２５】
また、基地局から発信された信号がアンテナ２２で受信され、送受信回路５８で復調されたのち、音声処理部５６で所定形式の音声データに変換される。音声処理部５６で生成された音声データ（受信データ）は、アナログ音声信号に変換されたのち、受話口２０のスピーカ２０Ａから出力される。こうして、通話相手の音声が、受話口２０のスピーカ２０Ａから可聴出力される。もちろん、携帯電話機１０は、音声データのみならず、電子メール機能やインターネットのブラウザ機能などを利用して画像データや文書データ、プログラムデータなど種々のデータを送受信することもできる。
【００２６】
カメラモード（カメラ機能を使用するモード）において、撮影レンズ２８を通過した光は、ＣＣＤ６２の受光面上に焦点を結ぶ。ＣＣＤ６２の受光面には、多数のフォトセンサ（受光素子）が平面的に配列されており、この受光面に結像された被写体像は、各フォトセンサによって入射光量に応じた量の信号電荷に変換される。各フォトセンサに蓄積された信号電荷は、タイミングジェネレータ（ＴＧ）７４から与えられる駆動パルスに基づいて信号電荷に応じた電圧信号（画像信号）として順次読み出される。
【００２７】
ＣＣＤ６２から読み出された画像信号は、アナログ処理部６４に送られ、このアナログ処理部６４で各画素ごとのＲ、Ｇ、Ｂ信号がサンプリングホールドされるとともに増幅される。アナログ処理部６４から出力されたアナログのＲ、Ｇ、Ｂ信号は、Ａ／Ｄ変換器６６でデジタルのＲ、Ｇ、Ｂ信号に変換されたのち、画像入力コントローラ６８を介してＲＡＭ５２に取り込まれ、画像処理部７０に送られる。
【００２８】
画像処理部７０は、同時化回路（単板ＣＣＤのカラーフィルタ配列に伴う色信号の空間的なズレを補間して各点の色を計算する処理回路）、輝度・色差信号生成回路、ガンマ補正回路、輪郭補正回路、ホワイトバランス補正回路等を含むデジタル画像信号処理手段であり、ＣＰＵ５０からのコマンドに従ってＲＡＭ５２を活用しながら入力された画像信号を処理する。
【００２９】
画像処理部７０でホワイトバランス調整処理、ガンマ変換処理、輝度信号（Ｙ信号）及び色差信号（Ｃr,Ｃb 信号）への変換処理（ＹＣ処理）などの所定の信号処理が施された画像データはＲＡＭ５２に一時的に記憶される。撮影中の映像を液晶ディスプレイ１８に表示させる場合には、このＲＡＭ５２の内容が読み出され、表示回路７６で表示用の信号形式に変換されて液晶ディスプレイ１８に供給される。これにより、ＣＣＤ６２で捉えたリアルタイム映像（スルー画像）が、液晶ディスプレイ１８に表示される。撮影者は、この液晶ディスプレイ１８の表示映像によって撮影画角（構図）を確認する。
【００３０】
このカメラモードの下、操作部２４の撮影ボタンが押されると、ＣＰＵ５０は、これを検知して、記録用の撮影動作を実行する。すなわち、撮影ボタンの押下に応動してＣＣＤ６２の露光制御及び電荷の読み出し制御が行われる。こうして取り込まれた記録用の画像データは、画像処理部７０においてＹＣ処理その他の所定の信号処理を経た後、圧縮伸張部７２に送られ、ここで所定の圧縮フォーマット（例えば、JPEG形式）に従って圧縮される。圧縮された画像データは、メモリコントローラ８２を介してメモリカード３６に格納される。
【００３１】
画像再生時には、ユーザのファイル選択操作に応じてメモリカード３６から画像データが読み出される。読み出された画像データは、圧縮伸張部７２に送られて伸張されたのち、表示回路７６に送られ、表示用の信号形式に変換されて液晶ディスプレイ１８に出力される。これにより、撮影した画像が液晶ディスプレイ１８に表示される。
【００３２】
また、携帯電話機１０は、ＰＣやＰＤＡなどの外部接続機器と有線で通信するために、通信インターフェイス８６を備えている。通信インターフェイス８６は、外部接続端子８６Ａに接続された通信ケーブルを介してＰＣやＰＤＡなどの外部接続機器との間で画像データを含むデータの双方向通信を行う。
【００３３】
さらに、携帯電話機１０は、日時を計測するためのタイマ８８を備えている。操作部２４で時計の表示を指示する操作がなされると、ＣＰＵ５０は、このタイマ８８から出力される現在の日時情報に基づいて表示回路７６を制御し、液晶ディスプレイ１８に日付や時間等を表示させたり、アラームを鳴らせたりする。
【００３４】
また、操作部２４でスケジュールの表示を指示する操作がなされると、ＣＰＵ５０は、ＥＥＰＲＯＭ５３に格納されたスケジュールデータを読み出し、表示回路７６を制御して液晶ディスプレイ１８にスケジュールの画面を表示する（図３参照）。スケジュール画面が表示されると、操作部２４からスケジュールの入力が可能になり、ＣＰＵ５０は、入力されたデータに基づきスケジュールデータを更新する。そして、その更新したスケジュールデータをＥＥＰＲＯＭ５３に記憶する。
【００３５】
なお、図３に示すように、スケジュールには、分単位で日時を指定して「メモ」と「場所」の情報を入力でき、入力された「メモ」と「場所」の情報は、スケジュールデータとして指定日時に対応付けてＥＥＰＲＯＭ５３に記憶（登録）される（図４（ａ）参照）。このスケジュールデータは、携帯電話機１０に通信ケーブルを介して接続されたＰＣやＰＤＡからも取得することができ、ＣＰＵ５０はＰＣ等からスケジュールデータを取得すると、そのスケジュールデータを取り入れた新たなスケジュールデータを作成してＥＥＰＲＯＭ５３に記憶する（スケジュールデータの更新）。
【００３６】
また、携帯電話機１０は、電源回路９０を備えており、電源回路９０は操作側筐体１４に装着されたバッテリパック３０から電源を受けて、携帯電話機１０に含まれる各回路に電力を供給する。
【００３７】
なお、送受信回路５８には、スイッチ９２を介して電力が供給され、ＣＰＵ５０は、このスイッチ９２の開閉（ＯＮ／ＯＦＦ）を制御して、送受信回路５８への電力供給を制御する。この際、ＣＰＵ５０は、ＥＥＰＲＯＭ５３に記録された発信規制日時データに基づいてスイッチ９２のＯＮ／ＯＦＦを制御し、送受信回路５８への電力供給を制御して、基地局への発信規制をかける。
【００３８】
この発信規制日時データは、図４（ｃ）に示すように、単位時間ごとにスイッチ９２のＯＮ／ＯＦＦを定めたもので、スケジュールデータと発信規制データとに基づいて作成される。
【００３９】
発信規制データは、図４（ｂ）に示すように、発信規制を行なうべき場所（発信規制場所）のデータを定めたものであり、あらかじめ設定されたものがＥＥＰＲＯＭ５３に記録されている。ＣＰＵ５０は、スケジュールデータが登録されると、そのスケジュールデータに登録されている各場所のデータが、発信規制データに登録されている発信規制場所に該当するか否かを判定する。そして、スケジュールデータに登録されている場所のデータが、発信規制データに登録された発信規制場所に該当する場合には、その場所が登録されたスケジュールの日時に発信規制がかかるように、発信規制日時データを作成する。すなわち、その場所が登録されているスケジュールの日時にスイッチ９２がＯＦＦになるように発信規制日時データを作成又は更新する。
【００４０】
たとえば、図４（ａ）に示すスケジュールデータが登録された場合、ＣＰＵ５０は、そのスケジュールデータ中に登録されている各「場所」のデータを一つずつ発信規制データと照合し、発信規制データに登録されている発信規制場所に該当するか否かを判定する。この判定の結果、スケジュールデータとして登録された「場所」のデータが、発信規制データに登録されている発信規制場所に該当する場合には、その「場所」が登録されている時間帯に対してスイッチＯＦＦとなるように発信規制日時データを作成する。
【００４１】
図４（ａ）に示す例の場合、スケジュールデータに登録された各「場所」のデータと、発信規制データに登録された発信規制場所のデータとを照合すると、２００３年７月２日の１０：００−１１：３０に登録された場所データ「渋谷」は、発信規制データには登録されていないので、発信規制の対象にはならず、スイッチ９２がＯＮとなるように、発信規制日時データが設定される。２００３年７月２日の１０：００−１１：３０に登録された場所データも「渋谷」なので、同じく発信規制の対象にはならず、スイッチ９２がＯＮとなるように、発信規制日時データが設定される。
【００４２】
一方、２００３年７月３日の１１：００−２４：００に登録された場所データ「グアム」は、発信規制データに登録されているので、発信規制の対象となり、その間、スイッチ９２がＯＦＦとなるように発信規制日時データが設定される。２００３年７月４日の００：００−２４：００と２００３年７月５日の００：００−２０：００の場所データも「グアム」なので、同じく発信規制対象となり、その間、スイッチ９２がＯＦＦとなるように発信規制日時データが設定される。
【００４３】
なお、スケジュールデータに場所データが登録されていない場合、発信規制はかけず、その間、スイッチ９２がＯＮとなるように発信規制日時データが設定される。同様にスケジュールの登録のない日時も、発信規制をかけないものとして、その間、スイッチ９２がＯＮとなるように発信規制日時データが設定される。
【００４４】
また、発信規制日時データは、スケジュールデータに対応して分単位で作成され、分単位でスイッチ９２のＯＮ／ＯＦＦが規定される。
【００４５】
前記のごとく構成された本実施の形態の携帯電話機１０の作用は次のとおりである。
【００４６】
上記のように、本実施の形態の携帯電話機１０は、発信規制日時データに従って送受信回路５８に供給する電力をＯＮ／ＯＦＦして発信規制をかける。
【００４７】
まず、「発信規制日時データ」の作成手順を図５に示すフローチャートに従って説明する。
【００４８】
操作部２４でスケジュールの表示を指示する操作が行なわれ、操作部２４からスケジュールが入力されると（ステップＳ１０）、ＣＰＵ５０は、入力されたデータに基づきスケジュールデータを更新（作成）する（ステップＳ１２）。そして、その更新したスケジュールデータをＥＥＰＲＯＭ５３に記憶する。
【００４９】
スケジュールデータが更新されると、ＣＰＵ５０は、そのスケジュールデータに登録された場所が発信規制をかけるべき場所か否かを判定する（ステップＳ１４）。すなわち、スケジュールデータとして登録された場所が、発信規制データに登録されているか否かを判定する。
【００５０】
スケジュールデータとして登録された場所が、発信規制データに登録されている場合には、その場所が登録された期間に発信規制をかけるよう発信規制日時データを設定する（ステップＳ１６）。すなわち、その場所が登録されたスケジュールの日時にスイッチ９２がＯＦＦになるように、発信規制日時データを更新（作成）する。
【００５１】
以上の処理をスケジュールの新規入力又は変更が行なわれるたびに実行し、その入力されたスケジュールに基づいて発信規制日時データを更新する。
【００５２】
なお、ＰＣ又はＰＶＡからスケジュールデータを取得した場合も同様に、そのＰＣ又はＰＤＡから取得したスケジュールデータに基づいて発信規制日時データを更新する。
【００５３】
そして、このように作成された発信規制日時データに基づいてＣＰＵ５０は、スイッチ９２のＯＮ／ＯＦＦを制御し、送受信回路５８への電力供給を制御して、発信規制をかける。図６は、発信規制の実行手順を示すフローチャートである。
【００５４】
ＣＰＵ５０は、タイマ８８から出力される現在日時の情報とＥＥＰＲＯＭ５３に記憶された発信規制日時データとに基づいて現時刻が発信規制をかけるべきか否かを判定する（ステップＳ２０）。
【００５５】
ここで、発信規制をかけるべき時間帯である場合は、スイッチ９２をＯＦＦにし（ステップＳ２２）、送受信回路５８への電力の供給を絶ち、発信規制をかける。
【００５６】
一方、発信規制をかけるべき時間帯でない場合は、スイッチ９２をＯＮにし（ステップＳ２４）、送受信回路５８へ電力を供給して、送受信可能な状態にする。
【００５７】
この判定処理を分単位で繰り返し実行し、毎分ごとに発信規制の要否を判断して、スイッチ９２のＯＮ／ＯＦＦを制御する。
【００５８】
このように、本実施の形態の携帯電話機１０では、スケジュールを入力すると、そのスケジュールデータに応じて自動的に発信規制をかけることができる。これにより、面倒な設定を行なうことなく、簡単に携帯電話機１０の省電力化を図ることができる。また、発信規制をかけるだけなので、他のカメラ機能やスケジュール機能、目覚し時計機能等は、継続して使用することができ、多機能化された携帯電話機１０を有効に活用することができる。
【００５９】
なお、携帯電話機１０は、圏外地域にいるときほど電力を多く消費してしまうので（圏外の場合は電波状況の確認を頻繁に行なわなくてはならないため電力を多く消費する）、発信規制データには、圏外地域の場所データを登録しておくことが好ましい。また、この発信規制データは、ユーザが任意に編集できるようにすることが好ましく、任意に場所を追加、削除できるようにすることが好ましい。この場合、携帯電話機１０で編集できるようにしてもよいし、ＰＣ又はＰＤＡ等の外部接続機器で作成した発信規制データを使用するようにしてもよい。
【００６０】
また、本実施の形態では、スケジュールデータに登録された場所に応じて発信規制をかけるようにしているが、スケジュールデータに登録されたメモの内容に応じて発信規制をかけるようにしてもよい。すなわち、発信規制をかけるべきメモの内容を発信規制データに登録しておき、このメモの内容がスケジュールに含まれた場合、そのスケジュールが登録された時間帯を発信規制の時間帯に設定する（その時間帯にスイッチ９２がＯＦＦになるように発信規制日時データを設定する。）。
【００６１】
また、スケジュールデータに登録する情報（スケジュール内容）には、「メモ」と「場所」の情報以外の情報（たとえば、件名（タイトル）等）を登録できるようにしてもよい。そして、その新たに登録された情報に基づいて発信規制をかけるようにしてもよい。
【００６２】
さらに、スケジュールデータは、ＰＣやＰＤＡ等の外部機器から電子メール等で取得するようにしてもよい。また、通信ケーブルを介した有線による接続ではなく、赤外線通信等の無線によってＰＣやＰＤＡ等の外部機器と接続して、スケジュールデータ等を取得するようにしてもよい。
【００６３】
また、本実施の形態では、電源回路と送受信回路との間に設けられたスイッチ９２をＯＮ／ＯＦＦさせることにより、送受信回路５８への電源供給を制御して、発信規制をかけるようにしているが、送受信回路５８への電源供給の制御方法は、これに限定されるものではなく、他の方法を用いて制御してもよい。
【００６４】
さらに、上記の実施の形態では、本発明を携帯電話機に適用した場合を例に説明したが、本発明の適用は、これに限られるものではなく、たとえば、無線通信機能を備えたＰＤＡやデジタルカメラ、ノートパソコン等の無線通信機能を備えた電子機器全般に適用することができる。
【図面の簡単な説明】
【００６５】
【図１】本発明が適用された携帯電話機の外観図
【図２】携帯電話機の内部構成を示すブロック図
【図３】スケジュール画面を示す図
【図４】スケジュールデータ、発信規制データ、発信規制日時データを示す図
【図５】発信規制日時データの作成手順を示すフローチャート
【図６】発信規制をかける手順を示すフローチャート
【符号の説明】
【００６６】
１０…携帯電話機、１２…表示側筐体、１４…操作側筐体、１６…ヒンジ、１８…液晶ディスプレイ、２０…受話口、２０Ａ…スピーカ、２２…アンテナ、２４…操作部、２６…送話口、２６Ａ…マイク、２８…撮影レンズ、３０…バッテリパック、３４…カードスロット、３６…メモリカード、５０…中央処理装置（ＣＰＵ）、５１…ＲＯＭ、５２…ＲＡＭ、５３…ＥＥＰＲＯＭ、５６…音声処理部、５８…送受信回路、６２…ＣＣＤ、６４…アナログ処理部、６６…Ａ／Ｄ変換器、６８…画像入力コントローラ、７０…画像処理部、７２…圧縮伸張部、７４…タイミングジェネレータ（ＴＧ）、７６…表示回路、８０…バス、８２…メモリコントローラ、８６…通信インターフェイス、８６Ａ…外部接続端子、８８…タイマ、９０…電源回路、９２…スイッチ
【図１】
2005064827.tif 000003
【図２】
2005064827.tif 000004
【図３】
2005064827.tif 000005
【図４】
2005064827.tif 000006
【図５】
2005064827.tif 000007
【図６】
2005064827.tif 000008